(57)【要約】【課題】光ディスクの性質に応じて最適な記録パワーを選択し、記録を行なう光ディスク記録装置及び記録方法を提供する。【解決手段】光ディスクの記録動作前にＯＰＣを３回行い、３回のＯＰＣから得られたそれぞれの最適記録パワーを平均化し、記録動作に用いる最適記録パワーを得る。具体的には、１０セクタずつの連続した３つの領域１６〜１８に対して連続して記録を行い、続いてこの３つの領域１６〜１８に対して連続して読み込みを行う。そして、３つ領域１６〜１８から得られた結果を平均化し、最適記録パワーを得る。このようにＯＰＣを行うことで、ディスクの性質に即した最適記録パワーを得ることができる。【選択図】図９
2008108340.tif 000002
【特許請求の範囲】
【請求項１】
光ディスクにデータを記録する前に、複数のそれぞれ異なる大きさの記録パワーで試験的にデータの記録を行い当該試験的に記録されたデータから読み込まれた信号に基づいて最適記録パワーを決定する記録パワー最適化動作が行われる光ディスク記録装置において、
当該記録パワー最適化動作の前に、１５段階のそれぞれ異なる大きさの粗記録パワーで試験的にデータの記録を行い当該試験的に記録されたデータから読み込まれた信号に基づいて粗最適記録パワーを決定する粗記録パワー最適化動作を行い、前記粗最適記録パワーに基づいて前記記録パワー最適化動作に用いられる前記記録パワーを決定し、
前記記録パワー最適化動作において、１０段階のそれぞれ異なる大きさの前記記録パワーを用いて前記試験的なデータの記録を前記光ディスクの連続した３つの領域のそれぞれに対して連続して行うとともに、当該試験的に記録されたデータの読み込みを前記連続した３つの領域に対して連続して行い、読み込まれたそれぞれの信号から得られる３つの第１次最適記録パワーを平均化することによって前記最適記録パワーを決定し、
前記最適記録パワーに基づいて、前記光ディスクに記録されたデータを消去する消去パワーを決定することを特徴とする光ディスク記録装置。
【請求項２】
光ディスクにデータを記録する前に、複数のそれぞれ異なる大きさの記録パワーで試験的にデータの記録を行い当該試験的に記録されたデータから読み込まれた信号に基づいて最適記録パワーを決定する記録パワー最適化動作が行われる光ディスク記録装置において、
当該記録パワー最適化動作の前に、１５段階のそれぞれ異なる大きさの粗記録パワーで試験的にデータの記録を行い当該試験的に記録されたデータから読み込まれた信号に基づいて粗最適記録パワーを決定する粗記録パワー最適化動作を行い、前記粗最適記録パワーに基づいて前記記録パワー最適化動作に用いられる前記記録パワーを決定し、
前記記録パワー最適化動作において、１０段階のそれぞれ異なる大きさの前記記録パワーを用いて前記試験的なデータの記録を前記光ディスクの連続した３つの領域のそれぞれに対して連続して行うとともに、当該試験的に記録されたデータの読み込みを前記連続した３つの領域に対して連続して行い、読み込まれたそれぞれの信号を平均化して得られる信号に基づいて前記最適記録パワーを決定し、
前記最適記録パワーに基づいて、前記光ディスクに記録されたデータを消去する消去パワーを決定することを特徴とする光ディスク記録装置。
【請求項３】
光ディスクにデータを記録する前に、複数のそれぞれ異なる大きさの記録パワーで試験的にデータの記録を行い当該試験的に記録されたデータから読み込まれた信号に基づいて最適記録パワーを決定する記録パワー最適化動作が行われる光ディスク記録装置において、
前記記録パワー最適化動作の前記試験的なデータの記録を前記光ディスクの連続した３つの領域のそれぞれに対して連続して行うとともに、当該試験的に記録されたデータの読み込みを前記連続した３つの領域に対して連続して行い、読み込まれたそれぞれの信号から得られる３つの第１次最適記録パワーを平均化することで前記最適記録パワーを決定することを特徴とする光ディスク記録装置。
【請求項４】
光ディスクにデータを記録する前に、複数のそれぞれ異なる大きさの記録パワーで試験的にデータの記録を行い当該試験的に記録されたデータから読み込まれた信号に基づいて最適記録パワーを決定する記録パワー最適化動作が行われる光ディスク記録装置において、
前記記録パワー最適化動作の前記試験的なデータの記録を前記光ディスクの連続した３つの領域のそれぞれに対して連続して行うとともに、当該試験的に記録されたデータの読み込みを前記連続した３つの領域に対して連続して行い、読み込まれたそれぞれの信号を平均化して得られる信号に基づいて前記最適記録パワーを決定することを特徴とする光ディスク記録装置。
【請求項５】
前記記録パワー最適化動作に用いられる前記記録パワーのそれぞれが、１０段階の異なる大きさであることを特徴とする請求項３または請求項４に記載の光ディスク記録装置。
【請求項６】
前記記録パワー最適化動作の前に、複数のそれぞれ異なる大きさの粗記録パワーで試験的にデータの記録を行い当該試験的に記録されたデータから読み込まれた信号に基づいて粗最適記録パワーを決定する粗記録パワー最適化動作を行い、前記粗最適記録パワーに基づいて前記記録パワー最適化動作に用いられる前記記録パワーを決定することを特徴とする請求項３〜請求項５のいずれかに記載の光ディスク記録装置。
【請求項７】
前記粗記録パワー最適化動作に用いられる前記粗記録パワーのそれぞれが、１５段階の異なる大きさであることを特徴とする請求項６に記載の光ディスク記録装置。
【請求項８】
前記最適記録パワーに基づいて、前記光ディスクに記録されたデータを消去するための消去パワーを決定することを特徴とする請求項３〜請求項７のいずれかに記載の光ディスク記録装置。
【請求項９】
光ディスクにデータを記録する前に、複数のそれぞれ異なる大きさの記録パワーで試験的にデータの記録を行い当該試験的に記録されたデータから読み込まれた信号に基づいて最適記録パワーを決定する記録パワー最適化動作が行われる光ディスク記録方法において、
前記記録パワー最適化動作の前記試験的なデータの記録を前記光ディスクの連続した３つの領域のそれぞれに対して連続して行うとともに、当該試験的に記録されたデータの読み込みを前記連続した３つの領域に対して連続して行い、読み込まれたそれぞれの信号から得られる３つの第１次最適記録パワーを平均化することで前記最適記録パワーを決定することを特徴とする光ディスク記録方法。
【請求項１０】
光ディスクにデータを記録する前に、複数のそれぞれ異なる大きさの記録パワーで試験的にデータの記録を行い当該試験的に記録されたデータから読み込まれた信号に基づいて最適記録パワーを決定する記録パワー最適化動作が行われる光ディスク記録方法において、
前記記録パワー最適化動作の前記試験的なデータの記録を前記光ディスクの連続した３つの領域のそれぞれに対して連続して行うとともに、当該試験的に記録されたデータの読み込みを前記連続した３つの領域に対して連続して行い、読み込まれたそれぞれの信号を平均化して得られる信号に基づいて前記最適記録パワーを決定することを特徴とする光ディスク記録方法。
【発明の詳細な説明】
【技術分野】
【０００１】
本発明は、ＤＶＤレコーダーに代表される光ディスク記録装置や、当該光ディスク記録装置に利用される光ディスク記録方法に関する。
【背景技術】
【０００２】
ＤＶＤレコーダーに代表される光ディスク記録装置は、ディスクにデータを記録する前に、光ピックアップの記録パワーの最適化であるＯＰＣ（Ｏｐｔｉｍｕｍ  Ｐｏｗｅｒ  Ｃｏｎｔｒｏｌ：以下ＯＰＣとする）を実行し、記録パワーを決定する。ＯＰＣは、ディスクの面振れや反り、記録層の特性やムラなどの影響を小さくするために行われるものであり、このＯＰＣを行うことによりディスク毎に最適な記録パワーが選択され、ディスク全体に対して質の高い記録を行うことができる。
【０００３】
ＯＰＣについて具体的に説明する前に、ディスクの構成について図１を用いて説明する。図１は光ディスクの模式図であり、光ディスク１には、ディスクを回転させるためにディスクの中心に設けられたスピンドル穴２が備えられ、このスピンドル穴２の外側が記録領域３となっている。
【０００４】
ＯＰＣはこの記録領域３のスピンドル穴２の近傍のＰＣＡ（Ｐｏｗｅｒ  Ｃａｌｉｂｒａｔｉｏｎ  Ａｒｅａ：以下ＰＣＡとする）４に対して、段階的に記録パワーを変化させた複数のテスト記録を行う。そして、そのテスト記録によって記録されたそれぞれのデータを読み込むことで信号を得て、その得られた信号のピーク値とボトム値に基づいて、信号の非対称性を示す値であるアシンメトリ値（以下β値とする）を記録パワーごとに算出する。そして、β値と記録パワーとの相関を調べることによってβ値が適正な値となる際の記録パワーが求められ、実際の記録に用いる記録パワーが決定される。なお、β値が示す信号の非対称性は、記録動作によってディスクに形成されたピットの大きさやピッチに起因するものであり、信号の対称性が良いものほど適切なピットが形成されたことを示し、記録パワーが最適であることを示す。
【０００５】
従来、ＣＤやＤＶＤに代表される光ディスクに対して、例えば特許文献１に示すように記録パワーを１５段階に変化させてＯＰＣを行う方法が採用されていた（特許文献１参照）。特に、ＤＶＤの場合は記録の単位である１ＥＣＣブロック、即ち１６セクタを使用する方法が採用されている。この方法では最初の１つのセクタに対してレーザダイオードが動作するかどうかのテストを行い、のこり１５セクタに対して記録パワーを１５段階に変化させ、記録及び読み込みを行う。
【特許文献１】特開２００２−３１９１３５号公報
【発明の開示】
【発明が解決しようとする課題】
【０００６】
しかしながら、ＯＰＣをそれぞれ大きさ異なる１５段階の記録パワーで１５セクタだけ行うこととすると、面振れや反りなどに起因する外乱の影響が強く作用し、ディスクの状況によっては強すぎたり弱すぎたりする記録パワーが選択されてしまう。すると、記録の質が低下し、記録や再生が不能となることが生じる。
【０００７】
そこで、本発明はこれらの問題を解決し、精度よくディスクの性質に即した記録パワーを選択することが可能な光ディスク記録装置及び光ディスク記録方法を提供することを目的とする。
【課題を解決するための手段】
【０００８】
上記目的を達成するために本発明は、光ディスクにデータを記録する前に、複数のそれぞれ異なる大きさの記録パワーで試験的にデータの記録を行い試験的に記録されたデータから読み込まれた信号に基づいて最適記録パワーを決定する記録パワー最適化動作が行われる光ディスク記録装置において、記録パワー最適化動作の試験的なデータの記録を光ディスクの連続した３つの領域のそれぞれに対して連続して行うとともに、試験的に記録されたデータの読み込みを連続した３つの領域に対して連続して行い、読み込まれたそれぞれの信号から得られる３つの第１次最適記録パワーを平均化することで最適記録パワーを決定することを特徴とする。
【０００９】
また、本発明の光ディスク記録装置は、光ディスクにデータを記録する前に、複数のそれぞれ異なる大きさの記録パワーで試験的にデータの記録を行い試験的に記録されたデータから読み込まれた信号に基づいて最適記録パワーを決定する記録パワー最適化動作が行われる光ディスク記録装置において、記録パワー最適化動作の試験的なデータの記録を前記光ディスクの連続した３つの領域のそれぞれに対して連続して行うとともに、試験的に記録されたデータの読み込みを連続した３つの領域に対して連続して行い、読み込まれたそれぞれの信号を平均化して得られる信号に基づいて最適記録パワーを決定することを特徴とする。
【００１０】
また、上記構成の光ディスク記録装置において、記録パワー最適化動作に用いられる記録パワーのそれぞれが、１０段階の異なる大きさであることとしても構わない。
【００１１】
また、上記構成の光ディスク記録装置において、記録パワー最適化動作の前に、複数のそれぞれ異なる大きさの粗記録パワーで試験的にデータの記録を行い試験的に記録されたデータから読み込まれた信号に基づいて粗最適記録パワーを決定する粗記録パワー最適化動作を行い、粗最適記録パワーに基づいて記録パワー最適化動作に用いられる記録パワーを決定することとしても構わない。また、粗記録パワー最適化動作に用いられる粗記録パワーのそれぞれが、１５段階の異なる大きさであることとしても構わない。
【００１２】
このような構成とすることで、記録パワー最適化動作の前段階で、ある程度の範囲にまで最適記録パワーを絞込むことが可能となる。したがって、より精度の高い記録パワー最適化動作を行うことができる。
【００１３】
また、上記構成の光ディスク記録装置において、最適記録パワーに基づいて、光ディスクに記録されたデータを消去する消去パワーを決定することとしても構わない。
【００１４】
このような構成とすることで、記録パワーだけでなく消去パワーも最適化することができる。
【００１５】
また、本発明の光ディスク記録方法は、光ディスクにデータを記録する前に、複数のそれぞれ異なる大きさの記録パワーで試験的にデータの記録を行い試験的に記録されたデータから読み込まれた信号に基づいて最適記録パワーを決定する記録パワー最適化動作が行われる光ディスク記録方法において、記録パワー最適化動作の試験的なデータの記録を光ディスクの連続した３つの領域のそれぞれに対して連続して行うとともに、試験的に記録されたデータの読み込みを連続した３つの領域に対して連続して行い、読み込まれたそれぞれの信号から得られる３つの第１次最適記録パワーを平均化することで最適記録パワーを決定することを特徴とする。
【００１６】
また、本発明の光ディスク記録方法は、光ディスクにデータを記録する前に、複数のそれぞれ異なる大きさの記録パワーで試験的にデータの記録を行い試験的に記録されたデータから読み込まれた信号に基づいて最適記録パワーを決定する記録パワー最適化動作が行われる光ディスク記録方法において、記録パワー最適化動作の試験的なデータの記録を光ディスクの連続した３つの領域のそれぞれに対して連続して行うとともに、試験的に記録されたデータの読み込みを連続した３つの領域に対して連続して行い、読み込まれたそれぞれの信号を平均化して得られる信号に基づいて最適記録パワーを決定することを特徴とする。
【００１７】
また、本発明の光ディスク記録装置は、光ディスクにデータを記録する前に、複数のそれぞれ異なる大きさの記録パワーで試験的にデータの記録を行い試験的に記録されたデータから読み込まれた信号に基づいて最適記録パワーを決定する記録パワー最適化動作が行われる光ディスク記録装置において、記録パワー最適化動作の前に、１５段階のそれぞれ異なる大きさの粗記録パワーで試験的にデータの記録を行い試験的に記録されたデータから読み込まれた信号に基づいて粗最適記録パワーを決定する粗記録パワー最適化動作を行い、粗最適記録パワーに基づいて記録パワー最適化動作に用いられる記録パワーを決定し、記録パワー最適化動作において、１０段階のそれぞれ異なる大きさの記録パワーを用いて試験的なデータの記録を光ディスクの連続した３つの領域のそれぞれに対して連続して行うとともに、試験的に記録されたデータの読み込みを連続した３つの領域に対して連続して行い、読み込まれたそれぞれの信号から得られる３つの第１次最適記録パワーを平均化することによって最適記録パワーを決定し、最適記録パワーに基づいて、光ディスクに記録されたデータを消去する消去パワーを決定することを特徴とする。
【００１８】
また、本発明の光ディスク記録装置は、光ディスクにデータを記録する前に、複数のそれぞれ異なる大きさの記録パワーで試験的にデータの記録を行い試験的に記録されたデータから読み込まれた信号に基づいて最適記録パワーを決定する記録パワー最適化動作が行われる光ディスク記録装置において、記録パワー最適化動作の前に、１５段階のそれぞれ異なる大きさの粗記録パワーで試験的にデータの記録を行い試験的に記録されたデータから読み込まれた信号に基づいて粗最適記録パワーを決定する粗記録パワー最適化動作を行い、粗最適記録パワーに基づいて記録パワー最適化動作に用いられる記録パワーを決定し、記録パワー最適化動作において、１０段階のそれぞれ異なる大きさの記録パワーを用いて試験的なデータの記録を光ディスクの連続した３つの領域のそれぞれに対して連続して行うとともに、試験的に記録されたデータの読み込みを連続した３つの領域に対して連続して行い、読み込まれたそれぞれの信号を平均化して得られる信号に基づいて最適記録パワーを決定し、最適記録パワーに基づいて、光ディスクに記録されたデータを消去する消去パワーを決定することを特徴とする。
【発明の効果】
【００１９】
本発明の構成によれば、ＰＣＡ領域に３回のＯＰＣを行うことが可能となる。そして、それぞれのＯＰＣより得られた最適記録パワーを平均化することで、外乱の影響を低減し、ディスクの性質に即した記録パワーを選択することができる。また、それぞれのＯＰＣより得られた信号を平均化して、この平均化された信号に基づいて最適記録パワーを求めることとしても外乱の影響を低減し、ディスクの性質に即した記録パワーを選択することができる。
【発明を実施するための最良の形態】
【００２０】
以下、本発明の実施形態を図２〜図１１に基づき説明する。
【００２１】
まず、図２を用いて、本発明の実施形態に係る光ディスク記録装置の構成の概略について説明する。図２は、本発明の実施形態に係る光ディスク記録装置の構成を示すブロック図である。
【００２２】
図２に示すように、本発明の実施形態に係る光ディスク記録装置は、光ディスク１を回転させるスピンドルモータ５と、直線的に移動し光ディスク１への記録動作及び光ディスク１からの読み込み動作をレーザによって行う光ピックアップ６と、スピンドルモータ５の回転速度や光ピックアップ６の移動を制御し光ディスク１上の記録位置及び読み込み位置を制御するサーボ回路７と、光ピックアップ６のレーザの出力を制御するレーザドライバ８と、入力された記録信号を変換するエンコーダ９と、変換された記録信号に基づいて光ピックアップ６を制御する記録回路１０と、光ピックアップ６によって読み込まれた信号の整形を行う再生回路１１と、再生回路１１から得られた信号を再生信号へと変換するデコーダ１２と、再生回路１１から得られた信号のピーク値とボトム値とを検出するピーク・ボトム検出回路１３と、サーボ回路７とレーザドライバ８とエンコーダ９とデコーダ１２とを制御して記録及び再生動作を制御するとともにピーク・ボトム検出回路１３から入力された情報に基づき記録パワーの設定を行うマイクロコンピュータ１４と、を備える。
【００２３】
記録を行う場合は、記録信号がエンコーダ９に入力され、エンコーダ９によって変換された後に記録回路１０に入力される。そして、記録回路１０から光ピックアップ６に出力される信号に基づいて光ディスク１に記録が行われる。このとき、サーボ回路７によって光ディスク１の回転や光ピックアップ６の位置が制御され、それによって光ディスク１上のデータを記録する位置が制御される。また、レーザドライバ８によって光ピックアップ６の記録パワーが制御される。なお、この記録パワーは記録動作の最初に行われるＯＰＣによって予め決定される。
【００２４】
再生を行う場合は、記録時と同様にサーボ回路７によって光ピックアップ６が制御され、光ディスク１上の読み込みを行う位置が制御される。このとき、レーザドライバ８によって光ピックアップ６の読み込みパワーが制御される。また、読み込まれた信号は再生回路１１に入力され、波形が整形される。そして、整形された信号はデコーダ１２で変換され、再生信号として出力される。
【００２５】
また、記録動作の最初に行われるＯＰＣは、上述した記録及び再生の両方の動作を行う。まず、図１に示した光ディスク１のＰＣＡ４に対して、段階的に記録パワーを変えて複数の記録が行なわれる。そして、次に書き込まれた領域が読み込まれるが、このとき、読み込まれた信号は図２に示す再生回路１１に入力され、再生回路１１から出力された信号はピーク・ボトム検出回路１３に入力され、信号のピーク及びボトムの情報がマイクロコンピュータ１４に入力される。そして、マイクロコンピュータ１４が、ピークの振幅値とボトムの振幅値との差をこれらの振幅値の和で割った値に基づいてβ値を算出し、このβ値に基づいて記録パワーを決定する。
【００２６】
次に、本発明の実施形態に係る一連の記録動作を説明するとともにＯＰＣについて説明する。まず、図３及び図４を用いて本発明の実施形態に係る光ディスク記録装置の記録動作とＯＰＣで使用するディスクの領域とについて説明する。図３は本発明の実施形態に係る光ディスク記録装置の記録動作を示すフローチャートであり、図４は本発明の実施形態に係る光ディスク記録装置のＯＰＣに対応する光ディスクのＰＣＡの拡大模式図である。なお、通常のディスクには溝やウォブル等が形成されているが、図４ではこれらを省略して示している。また、図４はＤＶＤのディスクを例として示したものである。
【００２７】
図３に示すように、本発明の実施形態では記録動作が開始されるとまずＯＰＣが行われる。ＯＰＣは粗ＯＰＣと本ＯＰＣの２つに分けられ、最初におおよその記録パワーの最適値を得るために粗ＯＰＣが行われる（ステップＳ１ａ）。このとき、粗ＯＰＣで使用される領域は、ディスクのＰＣＡの１６セクタ分である。なお、ＤＶＤのディスクを例にとると、ＰＣＡはディスクの１周分でおよそ２８セクタであるため、図４に示すように粗ＯＰＣが行われるディスクの粗ＯＰＣ領域１５は略半周分となっている。
【００２８】
粗ＯＰＣが終了すると、図３に示すように粗ＯＰＣによって得られた情報に基づいて粗最適記録パワーＰｘが決定される（ステップＳ１ｂ）。そして、この粗最適記録パワーＰｘに基づいて本ＯＰＣで用いられる記録パワーが決定される。また、この本ＯＰＣにおける記録動作は１０セクタずつ３回行われるため、合計３０セクタ分が使用される（ステップＳ２ａ）。このとき、本ＯＰＣで行われる３回のＯＰＣをそれぞれ第１本ＯＰＣ、第２本ＯＰＣ及び第３本ＯＰＣとする。また、図４に示すように、第１〜第３本ＯＰＣが行われる光ディスクの第１〜第３本ＯＰＣ領域１６〜１８は連続しており、３つの領域を合わせると３０セクタとなるためＤＶＤのディスクの場合では略１周分の領域となる。また、粗ＯＰＣ領域１５と第１〜第３本ＯＰＣ領域１６〜１８とは連続しており、粗ＯＰＣ領域１５の次の領域から、第１本ＯＰＣ領域１６、第２本ＯＰＣ領域１７及び第３本ＯＰＣ領域１８となっている。
【００２９】
そして、図３に示すように本ＯＰＣによって最適となる記録パワーＰｏが得られ（ステップＳ２ｂ）、この記録パワーでデータの記録が行われる（ステップＳ３）。
【００３０】
次に、図５、図６及び図７を用いて本発明の実施形態に係る光ディスク記録装置の粗ＯＰＣの詳細について説明する。図５は粗ＯＰＣのフローチャートであり、図６は本発明の実施形態に係る粗ＯＰＣに使用する記録パワーを記録に使用されるセクタ毎に示したグラフである。また、図７は本発明の実施形態に係る光ディスク記録装置の粗ＯＰＣによって得られるβ値と記録パワーとの相関を示すグラフである。
【００３１】
まず、図５に示すように、粗ＯＰＣが開始されると最初の１セクタ目に対してレーザの出力テストが行われる（ステップＳ１ａ１）。そして、２セクタ目から予め設定されている１５段階の記録パワーＰ１〜Ｐ１５で、１セクタ毎に合計１５セクタに対して階段状に記録パワーＰ１〜Ｐ１５を切り換えて各々のセクタに対して記録が行われる（ステップＳ１ａ２）。具体的には、図６に示すように粗ＯＰＣ領域１５の２セクタ目を記録パワーＰ１５で記録、３〜１５セクタ目までをそれぞれ記録パワーＰ１４〜Ｐ２の順で記録、最後の１６セクタ目を記録パワーＰ１で記録する。記録パワーはＰ１５が最大で、Ｐ１が最小となっており、記録パワーＰ１５から記録パワーＰ１にかけて等差的に小さくなるように設定されている。
【００３２】
次に、図５に示すように記録パワーＰ１〜Ｐ１５で記録が行われたディスクの領域を読み込むことによってそれぞれの記録パワーＰ１〜Ｐ１５に対応する信号を得て、それぞれのβ値を取得する（ステップＳ１ａ３）。このとき、図７に示すようにそれぞれの記録パワーＰ１〜Ｐ１５におけるβ値の値Ｑｓをプロットすると、ディスクの状態によって多少変化するが、概ね記録パワーが大きいとβ値も大きくなり、記録パワーが小さいとβ値も小さくなるため右上がりとなる。そして、記録パワーＰ１〜Ｐ１５とβ値との相関を近似式Ｌａで表し、この近似式Ｌａにおいてβ値が最適値であるβｏとなるときの記録パワーを粗最適記録パワーＰｘとする。
【００３３】
次に、図８、図９及び図１０を用いて本発明の実施形態に係る光ディスク記録装置の本ＯＰＣの詳細について説明する。図８は本発明の実施形態に係る光ディスク記録装置の本ＯＰＣにおけるフローチャートであり、粗ＯＰＣについて説明した図５に相当するものである。図９は本発明の実施形態に係る光ディスク記録装置の本ＯＰＣに使用する記録パワーを、使用するセクタ毎に示したものであり、粗ＯＰＣについて説明した図６に相当するものである。また、図１０は本発明の実施形態に係る光ディスク記録装置の本ＯＰＣによって得られるβ値と記録パワーとの相関を示すグラフであり、粗ＯＰＣについて説明した図７に相当するものである。
【００３４】
まず、図７に示すように、本ＯＰＣが開始されると本ＯＰＣで用いられる記録パワーＰｘａ〜Ｐｘｊが決定される（ステップＳ２ａ１）。これらの値は粗ＯＰＣで得られた粗最適記録パワーＰｘの値に基づいて決定され、例えば、予め定められた値の分だけ粗最適記録パワーＰｘより大きな値をＰｘａとし、予め定められた値の分だけ粗最適記録パワーＰｘより小さな値をＰｘｊとして、ＰｘａとＰｘｊの間を等間隔に分けることによって、それぞれの記録パワーがＰｘａからＰｘｊにかけて等差的に小さくなるように設定する。
【００３５】
そして、第１〜第３本ＯＰＣ領域にそれぞれ記録を行う（ステップＳ２ａ２）。このとき、図８に示すように第１本ＯＰＣ領域１６の１セクタ目から１０セクタ目にかけて、記録パワーＰｘａ〜Ｐｘｊでそれぞれ記録を行う。そして、連続して第２本ＯＰＣ領域１７、第３本ＯＰＣ領域１８の１セクタ目〜１０セクタ目についても記録パワーＰｘａ〜Ｐｘｊでそれぞれ記録を行う。このとき、第１〜第３本ＯＰＣ領域１６〜１８に対して連続して記録動作が行われる。特に、ＤＶＤのディスクの場合ではディスクが略１周する間に３つの領域すべてに連続して記録が行われる。
【００３６】
第１〜第３本ＯＰＣ領域への記録が終了すると、図７に示すように読み込み及びβ値の取得が行われる（ステップＳ２ａ３）。ＤＶＤのディスクの場合では、本ＯＰＣの記録時と同様にディスクが略１周する間に３つの領域すべての読み込みが連続して行われる。
【００３７】
読み込みが行われると図１０に示すような第１〜第３本ＯＰＣによって得られたそれぞれのβ値と記録パワーとの相関を示すグラフが得られる。このとき、第１本ＯＰＣによって得られた点Ｑ１は白抜きの三角形、第２本ＯＰＣによって得られた点Ｑ２は白抜きの正方形、第３本ＯＰＣによって得られた点Ｑ３は白抜きの丸で示している。第１〜第３本ＯＰＣから得られたそれぞれの点Ｑ１〜Ｑ３をプロットすると、記録パワーの大きなＰｘａのβ値が大きく、記録パワーの小さなＰｘｊのβ値が小さくなっているため、略右上がりとなる。そして、それぞれの領域のプロットに対して粗ＯＰＣと同様に近似式Ｌｂ１〜Ｌｂ３を求め、最適値であるβｏに対応するそれぞれの第１〜第３最適記録パワーＰｏ１〜Ｐｏ３を求める。そして、図７に示すように第１〜第３最適記録パワーＰｏ１〜Ｐｏ３を平均化することで、最適記録パワーＰｏが決定される。
【００３８】
なお、最適記録パワーＰｏを求める方法として、図１１の本発明の実施形態に係る光ディスク装置の本ＯＰＣによって得られるβ値と記録パワーとの相関を示すグラフのように行ってもよい。図１１は、図１０と同様に第１〜第３本ＯＰＣによって得られた点Ｑ１〜Ｑ３をそれぞれ白抜きの三角形、白抜きの正方形、白抜きの丸で示しており、黒抜きの丸でそれぞれの領域のそれぞれの記録パワーＰｘａ〜Ｐｘｊ毎のβ値の平均値を表した点Ｑ４を示している。このように、予め記録パワーＰｘａ〜Ｐｘｊ毎のβ値の平均値をとり、その平均値をプロットしたものの近似式Ｌｂ４より最適記録パワーＰｏを求めてもよい。そして、このように最適記録パワーを決定する場合も同様に、近似式Ｌｂ４において最適値であるβｏに対応する記録パワーを最適記録パワーＰｏとする。
【００３９】
このように光ディスクにＯＰＣを行うことで、合計３回、３０セクタ分のＯＰＣから得られた結果から最適記録パワーを求めるため、局所的な外乱の影響を抑えた最適記録パワーを得ることができる。そのため、この最適記録パワーを用いることで質の高い記録を行うことができる。
【００４０】
また、３回の動作で合計３０回の記録及び読み出しを本ＯＰＣで行うこととしても、第１〜第３本ＯＰＣ領域がディスク上で連続した領域であり、かつ第１〜第３本ＯＰＣの記録及び読み込みのそれぞれの動作がそれぞれ連続して行われるために、ＯＰＣに使用する時間を短くすることができる。特にＤＶＤのディスクに対して行った場合は、ディスクが略１周する間にＯＰＣの記録動作を３回行うことができ、読み込み動作も同様にディスクが略１周する間に３回行うことができる。
【００４１】
また、ＣＤ−ＲＷ、ＤＶＤ−ＲＷ、ＤＶＤ＋ＲＷなどの書き換え可能な光ディスクに対しては、消去パワーを最適記録パワーに基づいて決定するものとしてもよく、このように構成することで、消去パワーもディスクの性質に即したものとすることができる。
【００４２】
また、粗ＯＰＣに用いる記録パワーは、光ピックアップが出力可能な記録パワーの上限に近い値から下限に近い値まで、広範囲にわたって設定することとしてもよいし、最適となる記録パワーを予測し、予め定めた狭い範囲で設定することとしてもよい。ただし、広い範囲で設定したほうが、本ＯＰＣの記録パワーを決定する上で望ましい。
【００４３】
また、図６及び図９において粗ＯＰＣ及び本ＯＰＣに用いられる記録パワーＰ１〜Ｐ１５及び記録パワーＰｘａ〜Ｐｘｊが、それぞれの動作の進行にともない小さくなるように設定しているが、動作にともない大きくなるようにしてもよい。例えば、粗ＯＰＣにおいて２セクタ目に記録パワーＰ１で記録を行い、１６セクタ目に記録パワーＰ１５で記録を行うこととしてもよい。
【００４４】
以上、本発明の実施形態に係る光ディスクの記録装置及び記録方法について説明したが、本発明の範囲はこれに限定されるものではなく、発明の主旨を逸脱しない範囲で種々の変更を加えて実行することができる。
【産業上の利用可能性】
【００４５】
本発明は、光ディスクの記録装置及び記録方法において利用可能である。
【図面の簡単な説明】
【００４６】
【図１】は、光ディスクの模式図である。
【図２】は、本発明の実施形態に係る光ディスク記録装置の構成を示すブロック図である。
【図３】は、本発明の実施形態に係る光ディスク記録装置の記録動作の概要を示すフローチャートである。
【図４】は、本発明の実施形態に係る光ディスク記録装置のＯＰＣに対応する光ディスクのＰＣＡの拡大模式図である。
【図５】は、本発明の実施形態に係る光ディスク記録装置の粗ＯＰＣのフローチャートである。
【図６】は、本発明の実施形態に係る光ディスク記録装置の粗ＯＰＣに使用する記録パワーを記録に使用されるセクタ毎に示したグラフである。
【図７】は、本発明の実施形態に係る光ディスク記録装置の粗ＯＰＣによって得られるβ値と記録パワーとの相関を示すグラフである。
【図８】は、本発明の実施形態に係る光ディスク記録装置の本ＯＰＣにおけるフローチャートである。
【図９】は、本発明の実施形態に係る光ディスク記録装置の本ＯＰＣに使用する記録パワーを、使用するセクタ毎に示したものである。
【図１０】は、本発明の実施形態に係る光ディスク記録装置の本ＯＰＣによって得られるβ値と記録パワーとの相関を示すグラフである。
【図１１】は、本発明の実施形態に係る光ディスク記録装置の本ＯＰＣによって得られるβ値と記録パワーとの相関を示すグラフである。
【符号の説明】
【００４７】
１    光ディスク
２    スピンドル穴
３    記録領域
４    ＰＣＡ
５    スピンドルモータ
６    光ピックアップ
７    サーボ回路
８    レーザドライバ
９    エンコーダ
１０  記録回路
１１  再生回路
１２  デコーダ
１３  ピーク・ボトム検出回路
１４  マイクロコンピュータ
１５  粗ＯＰＣ領域
１６  第１本ＯＰＣ領域
１７  第２本ＯＰＣ領域
１８  第３本ＯＰＣ領域
Ｓ１ａ、Ｓ１ｂ、Ｓ２ａ、Ｓ２ｂ、Ｓ３  ステップ
Ｓ１ａ１〜Ｓ１ａ４、Ｓ２ａ１〜Ｓ２ａ４  ステップ
Ｐ１〜Ｐ１５  記録パワー
Ｐｘ  粗最適記録パワー
Ｐｘａ〜Ｐｘｊ  記録パワー
Ｑｓ  記録パワー及びβ値を示す点
Ｑ１〜Ｑ３  記録パワー及びβ値を示す点
Ｑ４  記録パワーとβ値の平均値とを示す点
Ｐｏ１〜Ｐｏ３  第１〜第３最適記録パワー
Ｐｏ  最適記録パワー
Ｌａ、Ｌｂ１〜Ｌｂ４  近似線
【図１】
2008108340.tif 000003
【図２】
2008108340.tif 000004
【図３】
2008108340.tif 000005
【図４】
2008108340.tif 000006
【図５】
2008108340.tif 000007
【図６】
2008108340.tif 000008
【図７】
2008108340.tif 000009
【図８】
2008108340.tif 000010
【図９】
2008108340.tif 000011
【図１０】
2008108340.tif 000012
【図１１】
2008108340.tif 000013